(57)【要約】【課題】一つのトランスで複数本の放電灯を点灯可能とすることができ、バラストコンデンサを省略することができる小型のトランスを提供することを目的としている。【解決手段】複数の分割磁心２１は巻軸部２５の上下端に鍔２６を設けるとともに鍔２６の側面に平面部２７を形成しており、入力巻線２３を一つの分割磁心２１の巻軸部２５に巻回し、複数の出力巻線２４をそれぞれ別の分割磁心２１の巻軸部２５に巻回しており、入力巻線２３を巻回した分割磁心２１の平面部２７に出力巻線２４を巻回した複数の分割磁心２１の平面部２７を突合せて閉磁路を形成しており、出力巻線２３を巻回した分割磁心２１は、上下端の鍔２６の一方の厚みを突合せた出力巻線２４を巻回した分割磁心２１の厚みより大きくするとともに上下端の鍔２６の間隔３０を出力巻線２４を巻回した分割磁心２１の上下端の鍔２６の間隔３１より小さくした構成。【選択図】  図１
2004228270.tif 000002
【特許請求の範囲】
【請求項１】
複数の分割磁心を突合せて閉磁路を形成した閉磁路磁心と、前記閉磁路磁心に絶縁被膜付電線を巻回した一つの入力巻線および複数の出力巻線とを備え、複数の前記分割磁心は巻軸部の上下端に鍔を設けるとともに前記鍔の側面に平面部を形成しており、前記入力巻線を一つの前記分割磁心の巻軸部に巻回し、複数の前記出力巻線をそれぞれ同じ巻線に巻回するとともにそれぞれ別の分割磁心の巻軸部に巻回しており、前記入力巻線を巻回した分割磁心の前記平面部に前記出力巻線を巻回した複数の前記分割磁心の平面部を突合せて閉磁路を形成しており、前記出力巻線を巻回した複数の前記分割磁心は、互いに巻軸部の断面積を同じ面積にするとともに前記平面部の面積を同じ面積にしており、前記入力巻線を巻回した前記分割磁心は、上下端の前記鍔の一方の厚みを突合せた前記出力巻線を巻回した前記分割磁心の厚みより大きくするとともに上下端の前記鍔の間隔を前記出力巻線を巻回した前記分割磁心の上下端の前記鍔の間隔より小さくしたトランス。
【請求項２】
入力巻線を巻回した分割磁心の巻軸部と出力巻線を巻回した複数の分割磁心の巻軸部との間隔を互いに同じ寸法とした請求項１に記載のトランス。
【請求項３】
入力巻線を巻回した分割磁心の上下端の鍔のそれぞれの厚みは、突合わせた出力巻線を巻回した分割磁心の鍔の厚みより大きくした請求項１に記載のトランス。
【請求項４】
入力巻線を巻回した分割磁心の巻軸部の断面積は、複数の出力巻線を巻回した分割磁心の巻軸部の断面積の総和より小さくした請求項１に記載のトランス。
【請求項５】
分割磁心をＭｎ系のフェライト材で形成した請求項１に記載のトランス。
【請求項６】
分割磁心をＮｉ系のフェライト材で形成した請求項１に記載のトランス。
【請求項７】
入力巻線を巻回した分割磁心と出力巻線を巻回した分割磁心のいずれか一方をＭｎ系のフェライト材で形成し、他方をＮｉ系のフェライト材で形成した請求項１に記載のトランス。
【請求項８】
分割磁心は平面部を除いて絶縁樹脂で被覆した絶縁層を設けた請求項１に記載のトランス。
【請求項９】
入力巻線を巻回した分割磁心の巻軸部の断面形状を偏平形状とした請求項１に記載のトランス。
【請求項１０】
出力巻線を巻回した分割磁心の巻軸部の断面形状を円形状にした請求項１に記載のトランス。
【請求項１１】
出力巻線を巻回した複数の分割磁心を間隔をあけて配置した請求項１に記載のトランス。
【発明の詳細な説明】
【０００１】
【発明の属する技術分野】
本発明は、放電灯点灯装置等に用いるトランスに関するものである。
【０００２】
【従来の技術】
以下、従来のトランスについて図面を参照しながら説明する。
【０００３】
図７は従来のトランスの斜視図、図８は同トランスの図７におけるＡ−Ａ線の断面図、図９は同トランスの分解斜視図である。
【０００４】
図７〜図９において、従来のトランスは、巻軸１の中央に貫通孔２を有するとともに上下端に鍔３を設けた二つのコイルボビン４と、巻軸１の外周に巻回した巻線５と、コイルボビン４の貫通孔２に挿通するとともに二つの分割磁心６を突合せて閉磁路を構成した閉磁路磁心７と、二つのコイルボビン４の端部に植設するとともに巻線５と接続した端子８を備えていた。
【０００５】
そして、閉磁路磁心７は、一つの中脚９と二つの磁脚１０を連接脚１１で連接した断面Ｅ字形状の分割磁心６と平板状の分割磁心６とを突合せて形成しており、このとき、一方のコイルボビン４の貫通孔２に一方の磁脚１０を挿通してトランスを構成していた。
【０００６】
次に、この従来のトランスの使用例について説明する。
【０００７】
図１０は従来のトランスを多灯放電灯点灯装置に用いた使用例を示す回路図である。
【０００８】
同図において、多灯放電灯装置は、直流の低電圧を高周波の交流低電圧に変換して出力する電源部１２と、電源部１２に入力巻線１４を接続した複数の昇圧トランス１３と、昇圧トランス１３の出力巻線１５の一端に接続したバラストコンデンサ１６と、バラストコンデンサ１６の他端に接続した放電灯１７とを有し、放電灯１７の他端と昇圧トランス１３の出力巻線１５の他端を接地している。
【０００９】
そして、従来のトランスは昇圧トランス１３として用いられ、電源部１２の出力を高電圧に変換して放電灯１７を点灯させていた。
【００１０】
なお、この出願の発明に関連する先行技術文献情報としては、例えば、特許文献１が知られている。
【００１１】
【特許文献１】
特開２００２−２７０４４１号公報
【００１２】
【発明が解決しようとする課題】
上記従来の構成では、出力巻線１５に一つの放電灯１７を接続して放電灯１７を点灯させているので、複数の放電灯１７を点灯する場合には放電灯１７の数に応じて複数のトランスを放電灯点灯装置の基板に実装する必要があった。
【００１３】
放電灯点灯装置においてトランスは比較的大きな部品であり、放電灯１７の数に応じてトランスを基板に実装すると、基板が大型化して放電灯点灯装置が大型化していた。
【００１４】
また、昇圧トランス１３の出力巻線１５と放電灯１７との間に限流素子であるバラストコンデンサ１６を接続しているので、より部品点数が多くなり実装基板が大型化するといった問題点を有していた。
【００１５】
本発明は上記従来の問題点を解決するもので、一つのトランスで複数本の放電灯を点灯可能とすることができ、バラストコンデンサを省略することのできる小型のトランスを提供することを目的としている。
【００１６】
【課題を解決するための手段】
上記目的を達成するために本発明は以下の構成を有する。
【００１７】
本発明の請求項１に記載の発明は、特に、複数の分割磁心を突合せて閉磁路を形成した閉磁路磁心と、閉磁路磁心に絶縁被膜付電線を巻回した一つの入力巻線および複数の出力巻線とを備え、複数の分割磁心は巻軸部の上下端に鍔を設けるとともに鍔の側面に平面部を形成しており、入力巻線を一つの分割磁心の巻軸部に巻回し、複数の出力巻線をそれぞれ同じ巻線に巻回するとともにそれぞれ別の分割磁心の巻軸部に巻回しており、入力巻線を巻回した分割磁心の平面部に出力巻線を巻回した複数の分割磁心の平面部を突合せて閉磁路を形成しており、出力巻線を巻回した複数の分割磁心は、互いに巻軸部の断面積を同じ面積にするとともに平面部の面積を同じ面積にしており、入力巻線を巻回した分割磁心は、上下端の鍔の一方の厚みを突合せた出力巻線を巻回した分割磁心の厚みより大きくするとともに上下端の鍔の間隔を出力巻線を巻回した分割磁心の上下端の鍔の間隔より小さくした構成である。
【００１８】
上記構成により、複数の分割磁心は巻軸部の上下端に鍔を設けるとともに鍔の側面に平面部を形成しており、入力巻線を一つの分割磁心の巻軸部に巻回し、複数の出力巻線をそれぞれ同じ巻数に巻回するとともにそれぞれ別の分割磁心の巻軸部に巻回しており、入力巻線を巻回した分割磁心の平面部に出力巻線を巻回した複数の分割磁心の平面部を突合せて閉磁路を形成しているので、一つの入力巻線と同じ巻数を巻回した複数の出力巻線と磁気結合させて、複数の出力巻線から同じ出力電圧を出力させることができ、一つのトランスで複数本の放電灯を点灯させることができる。
【００１９】
このとき、特に、出力巻線を巻回した複数の分割磁心は、互いに巻軸部の断面積を同じ面積にするとともに平面部の面積を同じ面積にしているので、出力巻線を巻回した複数の分割磁心の磁気抵抗が等しくなり、入力巻線が発生した磁束がバランスよく出力巻線に流れ込み、複数の出力巻線の出力に差が生じることを抑制することができる。
【００２０】
さらに、入力巻線を巻回した分割磁心は、上下端の鍔の一方の厚みを突合せた出力巻線を巻回した分割磁心の厚みより大きくするとともに上下端の鍔の間隔を出力巻線を巻回した分割磁心の上下端の鍔の間隔より小さくしたので、入力巻線を巻回した分割磁心の上下端の鍔の間が小さな磁気ギャップとなって、入力巻線を巻回した分割磁心の上端の鍔と磁気ギャップおよび下端の鍔が漏れ磁路を形成して、入力巻線を巻回した分割磁心の上下端の鍔から出力巻線を巻回した分割磁心上下端の鍔に磁束が流れるときに、入力巻線を巻回した分割磁心の上下端の鍔の間で漏れ磁束を通しやすくして、漏れ磁束による漏れリアクタンスを限流素子とした漏洩型のトランスを構成することができる。
【００２１】
本発明の請求項２に記載の発明は、特に、入力巻線を巻回した分割磁心の巻軸部と出力巻線を巻回した複数の分割磁心の巻軸部との間隔を互いに同じ寸法とした構成である。
【００２２】
上記構成により、入力巻線を巻回した分割磁心の巻軸部と出力巻線を巻回した複数の分割磁心の巻軸部との間隔を互いに同じ寸法としているので、複数の出力巻線は入力巻線と互いに同じ結合度で結合され、複数の出力巻線の出力電圧に差が生じることを抑制することができる。
【００２３】
本発明の請求項３に記載の発明は、特に、入力巻線を巻回した分割磁心の上下端の鍔のそれぞれの厚みを突合せた出力巻線を巻回した分割磁心の鍔の厚みより大きくした構成である。
【００２４】
上記構成により、入力巻線を巻回した分割磁心の上下端の鍔のそれぞれの厚みを突合せた出力巻線を巻回した分割磁心の鍔の厚みより大きくしているので、入力巻線を巻回した分割磁心の上下端の間隔をより小さくして、入力巻線を巻回した分割磁心の上下端の鍔の間の磁気ギャップがより小さくなり、漏れ磁路に漏れ磁束をより通しやすくすることができる。
【００２５】
本発明の請求項４に記載の発明は、特に、入力巻線を巻回した分割磁心の巻軸部の断面積は、複数の出力巻線を巻回した分割磁心の巻軸部の断面積の総和より小さくした構成である。
【００２６】
上記構成により、入力巻線を巻回した分割磁心の巻軸部の断面積は、複数の出力巻線を巻回した分割磁心の巻軸部の断面積の総和より小さくしているので、入力巻線を巻回した分割磁心に比べて出力巻線を巻回した分割磁心の磁気抵抗を大きくして、入力巻線が発生した磁束を出力巻線を巻回した分割磁心を通りにくくすることができ、漏れ磁路に漏れ磁束をより通しやすくすることができる。
【００２７】
本発明の請求項５に記載の発明は、特に、分割磁心をＭｎ系のフェライト材で形成した構成である。
【００２８】
上記構成により、Ｍｎ系のフェライト磁心はコアロスが小さいので、効率の良いトランスを構成できる。
【００２９】
本発明の請求項６に記載の発明は、特に、分割磁心をＮｉ系のフェライト材で形成した構成である。
【００３０】
上記構成により、Ｎｉ系のフェライト材は絶縁抵抗が高いので、巻線に入力する電圧または出力する電圧が高電圧の場合でも巻線と分割磁心の絶縁性を損なうことがなく、高電圧のトランスを構成することができる。
【００３１】
本発明の請求項７に記載の発明は、特に、入力巻線を巻回した分割磁心と出力巻線を巻回した分割磁心のいずれか一方をＭｎ系のフェライト材で形成し、他方をＮｉ系のフェライト材で形成した構成である。
【００３２】
上記構成により、入力巻線を巻回した分割磁心と出力巻線を巻回した分割磁心のいずれか一方をＭｎ系のフェライト材で形成し、他方をＮｉ系のフェライト材で形成しているので、Ｎｉ系のフェライト材で形成した分割磁心に高電圧の巻線を巻回すれば、高電圧に対応した効率の良いトランスを構成できる。
【００３３】
本発明の請求項８に記載の発明は、特に、分割磁心は平面部を除いて絶縁樹脂で被覆した絶縁層を設けた構成である。
【００３４】
上記構成により、巻線と分割磁心との間に絶縁層があるので、巻線と分割磁心の絶縁性を向上することができる。
【００３５】
本発明の請求項９に記載の発明は、特に、入力巻線を巻回した分割磁心の巻軸部の断面形状を偏平形状とした構成である。
【００３６】
上記構成により、入力巻線を巻回した分割磁心の巻軸部の断面形状を偏平形状としているので、入力巻線を巻回した分割磁心と出力巻線を巻回した分割磁心とを突合せて閉磁路を形成したときの底面積を小さくすることができる。
【００３７】
また、出力巻線を巻回した複数の分割磁心の巻軸部との間隔を同じ間隔にしやすくすることができる。
【００３８】
本発明の請求項１０に記載の発明は、特に、出力巻線を巻回した分割磁心の巻軸部の断面形状を円形状にした構成である。
【００３９】
上記構成により、出力巻線を巻回した分割磁心の巻軸部の断面形状を円形状にしているので、巻軸部に絶縁被膜付電線を巻回するときに、絶縁被膜付電線にかかる応力を小さくすることができる。
【００４０】
本発明の請求項１１に記載の発明は、特に、出力巻線を巻回した複数の分割磁心は間隔をあけて配置した構成である。
【００４１】
上記構成により、出力巻線を巻回した複数の分割磁心は間隔をあけて配置しているので、出力巻線を巻回した複数の分割磁心の間で、磁気的に干渉することを抑制することができ、複数の出力巻線からの出力をより安定させることができる。
【００４２】
【発明の実施の形態】
以下、本発明の一実施の形態におけるトランスについて図面を参照しながら説明する。
【００４３】
図１は本発明の一実施の形態におけるトランスの斜視図、図２は同トランスの図１におけるＢ−Ｂ線の断面図、図３は同トランスの分解斜視図、図４は同トランスの上面側平面図である。
【００４４】
図１〜図４において、本発明の一実施の形態におけるトランスは、複数の分割磁心２１を突合せて閉磁路を形成した閉磁路磁心２２と、閉磁路磁心２２に絶縁被膜付電線を数ターン程度巻回した一つの入力巻線２３と、閉磁路磁心２２に入力巻線２３より細い絶縁被膜付電線を千数百ターン程度巻回した複数の出力巻線２４と、上面に分割磁心２１を載置するとともに側面に入力巻線２３または出力巻線２４を接続する端子４１を設けた端子台４２とを備えている。
【００４５】
このとき、複数の分割磁心２１は、巻軸部２５の上下端に鍔２６を設けるとともに鍔２６の側面に平面部２７を形成しており、入力巻線２３を一つの分割磁心２１の巻軸部２５に巻回し、複数の出力巻線２４をそれぞれ同じ巻数に巻回するとともにそれぞれ別の分割磁心２１の巻軸部２５に巻回している。
【００４６】
また、入力巻線２３を巻回した分割磁心２１の平面部２７に出力巻線２４を巻回した複数の分割磁心２１の平面部２７を突合せて閉磁路を形成している。
【００４７】
そして、出力巻線２４を巻回した複数の分割磁心２１は、互いに巻軸部２５の断面積２９を同じ面積にするとともに平面部２７の面積を同じ面積にしている。
【００４８】
さらに、入力巻線２３を巻回した分割磁心２１は、上端の鍔２６の厚みを突合せた出力巻線２４を巻回した分割磁心２１の厚みより大きくするとともに上下端の鍔２６の間隔３０を出力巻線２４を巻回した分割磁心２１の上下端の鍔２６の間隔３１より小さくしている。
【００４９】
また、入力巻線２３を巻回した分割磁心２１の巻軸部２５と出力巻線２４を巻回した複数の分割磁心２１の巻軸部２５との間隔３２を互いに同じ寸法としている。
【００５０】
そして、入力巻線２３を巻回した分割磁心２１の巻軸部２５の断面積２８は、複数の出力巻線２４を巻回した分割磁心２１の巻軸部２５の断面積２９の総和より小さくしている。
【００５１】
また、入力巻線２３を巻回した分割磁心２１をＭｎ系のフェライト材で形成し、出力巻線２４を巻回した分割磁心２１をＮｉ系のフェライト材で形成しており、それぞれの分割磁心２１は平面部２７を除いた表面に絶縁樹脂で被覆した絶縁層３４を設けている。
【００５２】
そして、それぞれの分割磁心２１の巻軸部２５の形状は、入力巻線２３を巻回した分割磁心２１の巻軸部２５の断面形状を偏平形状としており、出力巻線２４を巻回した分割磁心２１の巻軸部２５の断面形状を円形状にしている。
【００５３】
さらに、出力巻線２４を巻回した複数の分割磁心２１は間隔３３をあけて配置してトランスを構成したものである。
【００５４】
以上のように構成したトランスについて、以下、その動作を説明する。
【００５５】
複数の分割磁心２１は巻軸部２５の上下端に鍔２６を設けるとともに鍔２６の側面に平面部２７を形成しており、入力巻線２３を一つの分割磁心２１の巻軸部２５に巻回し、複数の出力巻線２４をそれぞれ同じ巻数に巻回するとともにそれぞれ別の分割磁心２１の巻軸部２５に巻回しており、入力巻線２３を巻回した分割磁心２１の平面部２７に出力巻線２４を巻回した複数の分割磁心２１の平面部２７を突合せて閉磁路を形成しているので、一つの入力巻線２３と同じ巻数を巻回した複数の出力巻線２４と磁気結合させて、複数の出力巻線２４から同じ出力電圧を出力させることができ、一つのトランスで複数本の放電灯を点灯させることができる。
【００５６】
このとき、特に、出力巻線２４を巻回した複数の分割磁心２１は、互いに巻軸部２５の断面積２９を同じ面積にするとともに平面部２７の面積を同じ面積にしているので、出力巻線２４を巻回した複数の分割磁心２１の磁気抵抗が等しくなり、入力巻線２３が発生した磁束がバランスよく出力巻線２４に流れ込み、出力巻線２４に接続した放電灯の輝度のばらつきを抑制することができる。
【００５７】
さらに、入力巻線２４を巻回した分割磁心２１は、上下端の鍔２６の一方の厚みを突合せた出力巻線２４を巻回した分割磁心２１の厚みより大きくするとともに上下端の鍔２６の間隔を出力巻線２４を巻回した分割磁心２１の上下端の鍔２６の間隔より小さくしているので、入力巻線２４を巻回した分割磁心２１の上下端の鍔２６の間が小さな磁気ギャップ３５となって、入力巻線２３を巻回した分割磁心２１の上端の鍔２６と磁気ギャップ３５および下端の鍔２６が漏れ磁路を形成して、入力巻線２３を巻回した分割磁心２１の上下端の鍔２６から出力巻線２４を巻回した分割磁心２１の上下端の鍔に磁束が流れるときに、入力巻線２３を巻回した分割磁心２１の上下端の鍔２１の間で漏れ磁束３６を通しやすくすることができ、漏れ磁束３６による漏れリアクタンスを限流素子とした漏洩型のトランスを構成することができる。
【００５８】
また、入力巻線２３を巻回した分割磁心２１の巻軸部２５と出力巻線２４を巻回した複数の分割磁心２１の巻軸部２５との間隔を互いに同じ寸法としているので、複数の出力巻線２４は入力巻線２３と互いに同じ結合度で磁気結合され、複数の出力巻線２４の出力電圧に差が生じることを抑制することができる。
【００５９】
そして、入力巻線２３を巻回した分割磁心２１の巻軸部２５の断面積２８は、複数の出力巻線２４を巻回した分割磁心２１の巻軸部２５の断面積２９の総和より小さくしているので、入力巻線２３を巻回した分割磁心２１に比べて出力巻線２４を巻回した分割磁心２１の磁気抵抗を大きくして、入力巻線２３が発生した磁束を出力巻線２４を巻回した分割磁心２１を通りにくくして、漏れ磁路に漏れ磁束３６を通しやすくすることができる。
【００６０】
また、入力巻線２３を巻回した分割磁心２１をコアロスの小さいＭｎ系のフェライト材で形成し、出力巻線２４を巻回した分割磁心２１を絶縁抵抗が高いＮｉ系のフェライト材で形成しているので、高電圧に対応した効率の良いトランスを構成できる。
【００６１】
そして、それぞれの分割磁心２１は平面部２７を除いて絶縁樹脂で被覆した絶縁層３４を設けているので絶縁性を向上することができる。
【００６２】
さらに、入力巻線２３を巻回した分割磁心２１の巻軸部２５の断面形状を偏平形状としているので、入力巻線２３を巻回した分割磁心２１と出力巻線２４を巻回した分割磁心２１とを突合せて閉磁路磁心２２を形成したときの底面積を小さくすることができ、入力巻線２３を巻回した分割磁心２１の巻軸部２５と出力巻線２４を巻回した複数の分割磁心２１の巻軸部２５との間隔３２を同じ寸法にしやすくすることができる。
【００６３】
また、出力巻線２４を巻回した分割磁心２１の巻軸部２５の断面形状を円形状にしているので、巻軸部２５に絶縁被膜付電線を巻回するときに、絶縁被膜付電線にかかる応力を小さくすることができる。
【００６４】
そして、出力巻線２４を巻回した複数の分割磁心２１は間隔３３をあけて配置しているので、出力巻線２４を巻回した複数の分割磁心２１の間で、磁気的に干渉することを抑制することができ、複数の出力巻線２４の出力をより安定させることができる。
【００６５】
次に、上記本発明の一実施の形態のトランスを多灯放電灯点灯装置に用いた使用例を図面を参照しながら説明する。
【００６６】
図５は本発明の一実施の形態のトランスを用いた多灯放電灯点灯装置の回路図である。
【００６７】
同図において、多灯放電灯点灯装置は、直流の低電圧を高周波の交流低電圧に変換して出力する電源部３７と、一つの入力巻線２３と複数の出力巻線２４とを有し電源部３７の出力を高電圧に変換して出力する昇圧トランス３８と、昇圧トランス３８の複数の出力巻線２４毎に接続した放電灯３９とを有しており、それぞれの出力巻線２４の他端と放電灯３９の他端を接地している。
【００６８】
尚、４０は入力巻線２３の補助巻線であり、入力巻線２３と同じ分割磁心２１に巻回したものである。
【００６９】
上記本発明の一実施の形態のトランスは、多灯放電灯点灯装置において昇圧トランス３８として用いられ、電源部３７からの出力を入力巻線２３に入力し、複数の出力巻線２４に同じ値の高電圧を出力して、一つのトランスで複数本の放電灯３９を点灯することができる。
【００７０】
このとき、トランスの入力巻線２３を巻回した分割磁心２１の上端の鍔２６と磁気ギャップ３５と下端の鍔２６で形成した漏れ磁路に漏れ磁束３６が流れて、漏れ磁束３６による漏れリアクタンスが放電灯の限流素子とすることができるので、図１０の従来のトランスを多灯放電灯点灯装置に用いた使用例を示す回路図におけるバラストコンデンサ１６を省略することができ、部品点数を削減してより実装基板の小型化を図ることができる。
【００７１】
このように、本発明の一実施の形態のトランスは、複数の分割磁心２１は巻軸部２５の上下端に鍔２６を設けるとともに鍔２６の側面に平面部２７を形成しており、入力巻線２３を一つの分割磁心２１の巻軸部２５に巻回し、複数の出力巻線２４をそれぞれ同じ巻数に巻回するとともにそれぞれ別の分割磁心２１の巻軸部２５に巻回しており、入力巻線２３を巻回した分割磁心２１の平面部２７に出力巻線２４を巻回した複数の分割磁心２１の平面部２７を突合せて閉磁路を形成しており、出力巻線２４を巻回した複数の分割磁心２１は、互いに巻軸部２５の断面積を同じ面積にするとともに平面部２７の面積を同じ面積にしており、入力巻線２３を巻回した分割磁心２１は、上下端の鍔２６の間隔３０を出力巻線２４を巻回した分割磁心２１の上下端の鍔２６の間隔３１より小さくした構成である。
【００７２】
これにより、一つの入力巻線２３と複数の出力巻線２４とを同じ結合度で磁気結合させて、複数の出力巻線２４から同じ出力電圧を出力させることができ、一つのトランスで複数本の放電灯３９を点灯させることができる。
【００７３】
また、本実施の形態のトランスを多灯放電灯点灯装置に用いれば、図１０の従来のトランスを多灯放電灯点灯装置に用いた使用例を示す回路図のバラストコンデンサ１６等の限流素子が不要となり、部品点数を削減して実装基板を小型化できる。
【００７４】
尚、本実施の形態では、出力巻線２４の数が２つのもので説明したが、図６（ａ）〜（ｄ）の本発明の一実施の形態のトランスの他の例を示す上面側平面図に示すように、出力巻線２４の数は２つに限定されるものではなく、出力巻線２４の数を増やしてもよい。
【００７５】
また、上記本実施の形態では、入力巻線２３を巻回した分割磁心２１の上端の鍔２６の厚みだけを大きくしたもので説明したが、下端の鍔２６の厚みを大きくしてもよく、さらに、上下端の鍔２６のそれぞれの厚みを突合せた出力巻線２４を巻回した分割磁心２１の鍔の厚みより大きくすれば、入力巻線２３を巻回した分割磁心２１の上下端の間の磁気ギャップ３５をより小さくして、漏れ磁路に漏れ磁束３６をより通しやすくすることができる。
【００７６】
そして、上記本実施の形態では、入力巻線２３を巻回した分割磁心２１をＭｎ系のフェライト材で形成し、出力巻線２４を巻回した分割磁心２１をＮｉ系のフェライト材で形成した構成を説明したが、それぞれの分割磁心２１をＭｎ系のフェライト材で形成してもよく、Ｍｎ系のフェライト材はコアロスが小さいので効率のよいトランスを構成できる。
【００７７】
さらに、それぞれの分割磁心２１をＮｉ系のフェライト材で形成してもよく、Ｎｉ系のフェライト材は絶縁抵抗が高いので、入力巻線２３に入力する電圧や出力巻線２４が出力する電圧が高電圧の場合でも絶縁性を損なうことがなく、高電圧のトランスを構成することができる。
【００７８】
【発明の効果】
以上のように本発明によれば、複数の分割磁心は巻軸部の上下端に鍔を設けるとともに鍔の側面に平面部を形成しており、入力巻線を一つの分割磁心の巻軸部に巻回し、複数の出力巻線をそれぞれ同じ巻数に巻回するとともにそれぞれ別の分割磁心の巻軸部に巻回しており、入力巻線を巻回した分割磁心の平面部に出力巻線を巻回した複数の分割磁心の平面部を突合せて閉磁路を形成しており、出力巻線を巻回した複数の分割磁心は、互いに巻軸部の断面積を同じ面積にするとともに平面部の面積を同じ面積にしており、入力巻線を巻回した分割磁芯は、上下端の鍔の一方の厚みを突合せた出力巻線を巻回した分割磁芯の厚みより大きくするとともに上下端の鍔の間隔を出力巻線を巻回した分割磁芯の上下端の鍔の間隔より小さくした構成である。
【００７９】
これにより、一つの入力巻線と複数の出力巻線とを同じ結合度で磁気結合させて、複数の出力巻線から同じ出力電圧を出力させることができ、一つのトランスで複数本の放電灯を点灯可能とすることができ、バラストコンデンサを省略することのできる小型のトランスを提供することができる。
【図面の簡単な説明】
【図１】本発明の一実施の形態におけるトランスの斜視図
【図２】同トランスの図１におけるＢ−Ｂ線の断面図
【図３】同トランスの分解斜視図
【図４】同トランスの上面側平面図
【図５】本発明の一実施の形態のトランスを用いた多灯放電灯点灯装置の回路図
【図６】（ａ）同トランスの他の例を示す上面側平面図
（ｂ）同トランスのその他の例を示す上面側平面図
（ｃ）同トランスのその他の例を示す上面側平面図
（ｄ）同トランスのその他の例を示す上面側平面図
【図７】従来のトランスの斜視図
【図８】同トランスの図７におけるＡ−Ａ線の断面図
【図９】同トランスの分解斜視図
【図１０】従来のトランスを多灯放電灯点灯装置に用いた使用例を示す回路図
【符号の説明】
２１  分割磁心
２２  閉磁路磁心
２３  入力巻線
２４  出力巻線
２５  巻軸部
２６  鍔
２７  平面部
２８  断面積（入力巻線を巻回した分割磁心の巻軸部の断面積）
２９  断面積（出力巻線を巻回した分割磁心の巻軸部の断面積）
３０  間隔（入力巻線を巻回した分割磁心の上下端の鍔の間隔）
３１  間隔（出力巻線を巻回した分割磁心の上下端の鍔の間隔）
３２  間隔（入力巻線を巻回した分割磁心の巻軸部と出力巻線を巻回した分割磁心の巻軸部との間隔）
３３  間隔（出力巻線を巻回した複数の分割磁心の間隔）
３４  絶縁層
３５  磁気ギャップ
３６  漏れ磁束
３７  電源部
３８  昇圧トランス
３９  放電灯
４０  補助巻線
４１  端子
４２  端子台
【図１】
2004228270.tif 000003
【図２】
2004228270.tif 000004
【図３】
2004228270.tif 000005
【図４】
2004228270.tif 000006
【図５】
2004228270.tif 000007
【図６】
2004228270.tif 000008
【図７】
2004228270.tif 000009
【図８】
2004228270.tif 000010
【図９】
2004228270.tif 000011
【図１０】
2004228270.tif 000012